(57)【特許請求の範囲】
【請求項１】
遊技盤の裏面側に配設される機構板本体に、パチンコ球を貯留する球タンクと、球タンク内のパチンコ球を下流に案内するタンクレールとが備えられてなるパチンコ機の機構板において、
前記球タンクは、底部が分割構造とされており、前記底部の後寄り部分が前記機構板本体と一体に形成され、前記底部の前寄り部分が前記タンクレールのレールの上方前側にてレールを覆わない位置にて前記タンクレールに一体に形成されており、前記タンクレールが前記機構板本体に取り付けられて前記レールが前記底部の後寄り部分の下側に配設される構成になっていることを特徴とするパチンコ機の機構板。
【発明の詳細な説明】
【０００１】
【発明の属する技術分野】
本発明は、パチンコ機の遊技盤の裏面側に配設される機構板に関する。
【０００２】
【従来の技術】
パチンコ機の遊技盤の裏面側に機構板が装着されている。図５は機構板の斜視図である。同図に示すように、機構板２０は、方形あるいは一部切欠方形の開口部を有する機構板本体２１に、パチンコ球を貯留する球タンク２２、球タンク内のパチンコ球を下流に向けて案内する球タンクレール２３及び屈曲案内部２４、賞球数をカウントしてパチンコ球を賞球として払い出す賞球払出装置２５、払い出された賞球を上皿へ導く払出樋部２６、余剰球を下皿へ導く球誘導路を有する案内部２７等が取り付けられてなる。
【０００３】
上記の球タンク２２及び球タンクレール２３はそれぞれ独立した部品であり、通常、合成樹脂で成形されている。球タンク２２及び球タンクレール２３の取付構造を図６を参照して説明する。機構板本体２１の所定の位置に、球タンク２２に対応する形状の凹部３１と、球タンクレール２３に対応する形状の段付部３２とが形成されていて、球タンク２２は上方から凹部３１にはめ込んで固定し、球タンクレール２３は手前側から段付部３２に押しつけるようにして装着する構造となっている。取り付けの際には、機構板本体２１の支持壁部に形成された係合穴３４に対し球タンク２２の後側壁部に形成された爪４１を係合させて抜け止めとしている。また、機構板本体２１に突設された支持ピン３５を球タンクレール２３の長穴４２に挿通するとともに、球タンクレール２３の係止爪４３，４４を機構板本体２１に設けられたフック３６，３７に係止させて位置決め及び固定をするようになっている。なお、図中のフック３８は、球タンクレール２３に形成された係止爪（図示省略）を係止させるためのものである。また、４５は球タンクレールを固定するねじである。これ以外にも、必要に応じて適宜な締結具や係合手段が併用されている。
【０００４】
【発明が解決しようとする課題】
近年、パチンコ機に対するコストダウンの要請がますます強くなされている。本願の発明者は、パチンコ機の研究開発及びコストダウンの検討過程において、球タンクが独立した一部品である必要性に乏しいことに想い至った。すなわち、従来のパチンコ機の機構板においては、上述したように、球タンク２２と球タンクレール２３を個別に製作したうえで、機構板本体２１に組み付けていることから、金型の削減あるいは取付構造の簡素化といったコストダウンが阻害され、また、球タンクの成形及び組立に工数がかかるという問題がある。
【０００５】
本発明は上記の問題点に鑑みてなされたものであり、その目的は、機構板製造時のコストダウンを図ることである。
【０００６】
【課題を解決するための手段】
上記の課題は、前記請求項に記載した構成のパチンコ機の機構板により解決される。請求項１に係る発明では、分割構造とした球タンクの一部が機構板本体と一体に形成され、残部がタンクレールと一体に形成されており、このタンクレールを機構板本体に取り付けることで所定形状の球タンクが形成されるようになっている。したがって、従来例と比べると、単体の部品としての球タンクは勿論その金型が削減されたことにより、コストダウンとなる。また、球タンク成形並びに球タンク取付の工数も削減される。
【０００７】
【発明の実施の形態】
以下、本発明の一実施形態を図に基づいて説明する。図１はパチンコ機の裏面図である。同図において、１は前枠、２は遊技盤、３は遊技盤２の裏面側に装着された機構板、４はパチンコ球を発射する発射装置である。また、図２は機構板３の斜視図である。図１及び図２に示すように、パチンコ機の機構板３は、略方形の開口部を有する枠状の機構板本体５に、パチンコ球を貯留する球タンク６、球タンク６内のパチンコ球を下流方向へ流すタンクレール１５、タンクレール１５に接続する屈曲案内部８、賞球数をカウントしてパチンコ球を賞球として払い出す賞球払出装置９、その賞球を上皿へ導くための払出樋部１０、余剰球を下皿へ導く球誘導路を有する案内部１１等が備えられてなるものである。
【０００８】
なお、図１中、１３は球タンク６内のパチンコ球を検出する検出装置、１４は球タンク６の排出口付近で積み重なった状態となるパチンコ球を最下段のものから順に下流方向へ流すための、いわゆる球ならし装置である。
【０００９】
次に、球タンク６とタンクレール１５の構成について、図３を参照して説明する。同図に示すように、機構板本体５は図示形状に合成樹脂で成形されたものであって、二分割構造とされた球タンク６の一方の部分がこの機構板本体５と一体に形成されている。すなわち、機構板本体５の上縁部５ａが球タンク６の後側壁部となり、突壁部５ｂ，５ｃが球タンク６の左右の壁部の一部分（後寄りの部分）を構成し、板状傾斜部５ｄが球タンク６の底部の後寄りの部分を構成するようになっている。５ｅはパチンコ球を排出する排出口となる部分である。
【００１０】
上記球タンク６の二分割の残部（前寄りの部分）は、機構板本体５に取り付けられるタンクレール１５に形成されている。このタンクレール１５には、上縁部５ａに対向する前側壁部１５ａと、突壁部５ｂ，５ｃに突き合わせる壁部１５ｂ，１５ｃと、板状傾斜部５ｄに突き合わせる板状傾斜部１５ｄとが設けられ、かつ、パチンコ球を落下させる排出口となる切欠部分１５ｅの直下位置から緩やかに下傾する２条のレール７ａ，７ｂが図示右方向に延びて、球タンク６からのパチンコ球を下流方向へ案内できるように設けられている。
【００１１】
上記の突壁部５ｃと壁部１５ｃのそれぞれの先端部は、互いに係合する凹凸形状とされる一方、壁部１５ｂには鍔部１５ｆと係合孔１５ｈ，１５ｉ，１５ｊとが設けられている。図３及び図４に示すように、突壁部５ｂ側には、鍔部１５ｆを当接させる当接面５ｆと、係合孔１５ｈ〜１５ｊに対応するフック５ｈ，５ｉ，５ｊとが形成され、このフック５ｈ〜５ｊを係合孔１５ｈ〜１５ｊに差し込んで係合させるようになっている。さらに、機構板本体５側にフック５ｋ，５ｍが設けられ、これに対応する係合孔１５ｋ，１５ｍがタンクレール１５の下縁部に設けられている。
【００１２】
また、図３に示したように、機構板本体５には位置決め用を兼ねる支持ピン５ｎが突設されており、この支持ピン５ｎをタンクレール１５の係合部に係合させたうえで、孔１５ｎに通した取付ボルト１６にて固定するようになっている。なお、これ以外にも、必要に応じてねじ止め箇所を設けても良い。
【００１３】
本実施形態の機構板３は上記のように構成され、タンクレール１５は、各フック５ｈ〜５ｊ及び５ｋ，５ｍを係合孔１５ｈ〜１５ｊ及び１５ｋ，１５ｍに係合させることでワンタッチ式に着脱可能に取り付けられ、かつ、取付ボルト１６をねじ込むことで固定されるようになっている。
このように、機構板本体５にタンクレール１５を取り付けることで球タンク６が形成され、従来の機構板と比べると単体の部品としての球タンクが削減されている。
【００１４】
なお、上記の実施形態において、タンクレール１５の取り付けには、適宜構造の締結具を利用することが可能である。この他、当業者の知識に基づき、種々の変更を加えた態様で本発明を実施し得ることは勿論である。
【００１５】
【発明の効果】
本発明の機構板では、分割構造とした球タンクの一部が機構板本体と一体に形成され、残部がタンクレールと一体に形成されており、このタンクレールを機構板本体に取り付けることで所定形状の球タンクが形成されるようになっている。したがって、従来例と比べると、単体の部品としての球タンクは勿論その金型が削減されたことにより、コストダウンとなり、また、球タンク成形並びに球タンク取付の工数も削減されるという効果がある。
【図面の簡単な説明】
【図１】パチンコ機の裏面図である。
【図２】実施形態に係る機構板を示す斜視図である。
【図３】機構板の分解斜視図である。
【図４】図２のＩＶ−ＩＶ線断面図であり、フック部分を説明する図である。
【図５】従来の機構板を示す斜視図である。
【図６】従来の機構板本体、球タンク、球タンクレールを示す分解斜視図である。
【符号の説明】
３  機構板
５  機構板本体
６  球タンク
１５  タンクレール
【図１】
0003746638.tif 000002
【図２】
0003746638.tif 000003
【図３】
0003746638.tif 000004
【図４】
0003746638.tif 000005
【図５】
0003746638.tif 000006
【図６】
0003746638.tif 000007